(57)【特許請求の範囲】
【請求項１】
被写体を照明する照明装置とともに使用される携帯端末であって、上記被写体を撮像するカメラ、このカメラの撮影方向に表示画面が向けられ、上記カメラの撮像する被写体画像を表示する表示部、上記照明装置が点灯している間、上記表示部の輝度を上げるように制御する制御部を備えたことを特徴とする携帯端末。
【請求項２】
表示部は、表示画面を照光する表示照光部を含むことを特徴とする請求項１記載の携帯端末。
【請求項３】
制御部は、照明装置の輝度に基づいて表示照光部の輝度を変更することを特徴とする請求項２記載の携帯端末。
【請求項４】
照明装置の輝度は、手動または自動的に変更されることを特徴とする請求項３記載の携帯端末。
【発明の詳細な説明】
【０００１】
【発明の属する技術分野】
この発明は、カメラを搭載した携帯端末に関し、特に被写体画像を撮像するときに被写体を照明する照明機能を有する携帯端末に関する。
【０００２】
【従来の技術】
近年の携帯端末は、高機能・多機能化がなされており、例えば携帯電話機にあっては、通常の電話機能に加え、データ通信機能が搭載されており、さらにはカメラを搭載して撮像した画像データを送受信する機種も出現している。
【０００３】
図３は、従来の携帯電話機背面の外観を示した概略図である。図において、１は携帯電話機、２は通話時、無線信号の送受信を行うアンテナ、３は背面側に設けられ、被写体を撮像するカメラ、４はカメラ３の撮影方向と同方向にむけて瞬間的に投光するフラッシュ、５はカメラ３と同方向に設けられ、ユーザが自画像を撮像するときに、撮像する画像の目安として利用する鏡である。
【０００４】
図４は、従来の携帯電話機１の構成を示したブロック図である。図において、６はアンテナ２を介して送受信を行う無線信号を処理する送受信部、７は携帯電話機１全体の機能を司るとともに、周辺部の制御を行う制御部、８は制御部７の中心となるＣＰＵ（Ｃｅｎｔｒａｌ  Ｐｒｏｃｅｓｓｉｎｇ  Ｕｎｉｔ）、９はＣＰＵ８が実行する各種プログラム、１０はプログラム９や、カメラ３で撮像した被写体画像データを含む各種データが格納されているメモリ、１１はカメラ３で撮像した被写体画像データを一時的に記憶する一時記憶部、１２は携帯電話機１の前面側に設けられ、カメラ３の撮像する被写体画像を表示するメインＬＣＤ（ｌｉｑｕｉｄ  ｃｒｙｓｔａｌ  ｄｉｓｐｌａｙ）、１３はメインＬＣＤ１２を照光するバックライト、１４はバックライト１３の輝度を制御する電流制御部、１５はカメラ３へ動作指示するための操作部、１６は通話時、ユーザの音声を入力するマイク、１７は通話相手の音声を出力するレシーバ、１８は着信時などに鳴音を外部に発生させて報知するスピーカである。
【０００５】
次に、図３、図４、及び図５に基づいて、従来の携帯電話機１に搭載されたカメラ３による被写体画像の撮像動作について説明する。
なお、図５は、フラッシュ４を使用して自画像を撮像する動作を示したフローチャートである。
【０００６】
まず、ユーザが操作部１５を操作してカメラ３による撮影モードを選択すると、ＣＰＵ８は、電流制御部１４にバックライト１３を点灯するよう指示する。指示を受けた電流制御部１４がバックライト１３に電流を流すと、バックライト１３が点灯するＳ５０１。
【０００７】
ＣＰＵ８は、カメラ３を作動させるとともに、メインＬＣＤ１２を作動させ、カメラ３が撮像している画像をメインＬＣＤ１２画面上に表示させるＳ５０２。
【０００８】
次に、ユーザは、カメラ３による撮影を終了するか否かを判断するＳ５０３。
【０００９】
カメラ３による撮影を終了すると判断されたとき、ＣＰＵ８は、電流制御部１４にバックライト１３を消灯するよう指示する。指示を受けた電流制御部１４がバックライト１３に電流を流すのを停止すると、バックライト１３が消灯するＳ５１１。
ＣＰＵ８は、カメラ３を停止させて、通常の待ち受け画面をメインＬＣＤ１２画面上に表示させて、処理を終了する。
【００１０】
一方、Ｓ５０３の判断により、カメラ３による撮影を終了しないと判断されたとき、ユーザは携帯電話機１背面側のカメラ３を自分に向け、自画像を被写体として撮像する。つまり、ユーザは、自画像を被写体として撮像するので、メインＬＣＤ１２画面に表示されるカメラ３の撮像画像をモニターできないため、鏡５を見ながら撮影位置を決めてＳ５０４、操作部１５の撮影ボタンを押下するＳ５０５。
【００１１】
撮影ボタンの押下により、ＣＰＵ８は、フラッシュ４を起動するか否かを判断するＳ５０６。
【００１２】
この判断の結果、事前にフラッシュ４の起動が設定されていなければ、ＣＰＵ８はフラッシュ４を点灯させずに、Ｓ５０８に進む。
【００１３】
Ｓ５０６の判断の結果、事前にフラッシュ４の起動が設定されていれば、ＣＰＵ８はフラッシュ４を点灯させるＳ５０７。
【００１４】
次に、ＣＰＵ８はその時点でカメラ３が撮像していた自画像の被写体画像をメインＬＣＤ１２に静止画像で表示させＳ５０８、かつユーザに撮影がされたことを報知するためにスピーカ１８によりシャッター音を鳴動させる。
同時に、ＣＰＵ８は、カメラ３の撮像した被写体画像データを一時記憶部１１に記憶させる。
【００１５】
ユーザは、メインＬＣＤ１２に表示されている被写体画像を確認し、保存するかどうかを決めるＳ５０９。
【００１６】
ユーザは、メインＬＣＤ１２に表示されている被写体画像が気に入れば、操作部１５を操作し、ＣＰＵ８によって一時記憶部１１に記憶されている被写体画像データをメモリ１０の所定領域に格納しＳ５１０、Ｓ５０２に戻る。
【００１７】
Ｓ５０９の判断の結果、ユーザは、メインＬＣＤ１２に表示されている被写体画像が気に入らなければ、操作部１５を操作し、ＣＰＵ８によって一時記憶部１１に記憶されている被写体画像データをメモリ１０に格納せずに、Ｓ５０２に戻る。
【００１８】
このように、従来の携帯電話機１では自画像などを撮像する際、ユーザが携帯電話機１の背面の鏡５を見ながらおおよその位置を決めていたために、鏡５に写っていた端の方が撮像されなかったり、逆に鏡５に写っていないものまで撮像されてしまうという問題点があった。
【００１９】
また、フラッシュ４について、点灯時に瞬間的に大量の電流が流れてしまうので、動作上好ましくないという問題点があった。
【００２０】
このような問題を回避するために、鏡５に代えて、カメラ３と同方向にＬＣＤを設け、フラッシュ４に代えて、ＬＣＤバックライトなどに使用されている白色ＬＥＤを用いた改良型の携帯電話機１が考案されている。
【００２１】
図６は、改良型の携帯電話機１背面の外観を示した概略図である。図において、１９は白色ＬＥＤを用い、カメラ３の撮影方向と同方向にむけて投光するように携帯電話機１の背面側に設けられた照明装置、２０はカメラ３と同方向に表示画面をむけて設けられ、カメラ３の撮像する被写体画像を表示するサブＬＣＤである。
【００２２】
図７は、改良型の携帯電話機１の構成を示したブロック図であり、２１はサブＬＣＤ２０を照光するサブバックライトである。
また、プログラム９はサブＬＣＤ２０へのカメラ画像表示プログラムを搭載しており、電流制御部１４はサブバックライト２１及び照明装置１９の輝度も制御している点で図４と異なる。
【００２３】
次に、図６、図７、及び図８に基づいて、従来の改良型携帯電話機１に搭載されたカメラ３による被写体画像の撮像動作について説明する。
なお、図８は、照明装置１９を使用して自画像を撮像する動作を示したフローチャートである。
【００２４】
まず、ユーザが操作部１５を操作してカメラ３による撮影モードを選択すると、ＣＰＵ８は、照明装置１９を起動するか否かを判断するＳ８０１。
【００２５】
この判断の結果、事前に照明装置１９の起動が設定されていなければ、ＣＰＵ８は照明装置１９を点灯させずに、Ｓ８０３に進む。
【００２６】
Ｓ８０１の判断の結果、事前に照明装置１９の起動が設定されていれば、ＣＰＵ８は、電流制御部１４に照明装置１９を点灯するよう指示する。指示を受けた電流制御部１４が照明装置１９に電流を流すと、照明装置１９が点灯するＳ８０２。
【００２７】
次いで、ＣＰＵ８は、電流制御部１４にサブバックライト２１を点灯するよう指示する。指示を受けた電流制御部１４がサブバックライト２１に電流を流すと、サブバックライト２１が点灯するＳ８０３。
【００２８】
ＣＰＵ８は、カメラ３を作動させるとともに、メインＬＣＤ１２及びサブＬＣＤ２０を作動させ、カメラ３が撮像している画像をメインＬＣＤ１２及びサブＬＣＤ２０画面上に表示させるＳ８０４。
【００２９】
次に、ユーザは、カメラ３による撮影を終了するか否かを判断するＳ８０５。
【００３０】
カメラ３による撮影を終了すると判断されたとき、ＣＰＵ８は、電流制御部１４に照明装置１９を消灯するよう指示する。指示を受けた電流制御部１４が照明装置１９に電流を流すのを停止すると、照明装置１９が消灯するＳ８１０。
次いで、ＣＰＵ８は、電流制御部１４にサブバックライト２１を消灯するよう指示する。指示を受けた電流制御部１４がサブバックライト２１に電流を流すのを停止すると、サブバックライト２１が消灯するＳ８１１。
ＣＰＵ８は、カメラ３を停止させて、通常の待ち受け画面をメインＬＣＤ１２画面上に表示させて、処理を終了する。
【００３１】
Ｓ８０５の判断により、カメラ３による撮影を終了しないと判断されたとき、ユーザは携帯電話機１背面側のカメラ３を自分に向け、自画像を被写体として撮像する。つまり、ユーザは、メインＬＣＤ１２画面に表示されるカメラ３の撮像画像をモニターできないため、サブＬＣＤ２０を見ながら撮影位置を決めて、操作部１５の撮影ボタンを押下するＳ８０６。
【００３２】
撮影ボタンの押下により、ＣＰＵ８はその時点でカメラ３が撮像していた自画像の被写体画像をメインＬＣＤ１２に静止画像で表示させＳ８０７、かつユーザに撮影がされたことを報知するためにスピーカ１８によりシャッター音を鳴動させる。
同時に、ＣＰＵ８は、カメラ３の撮像した被写体画像データを一時記憶部１１に記憶させる。
【００３３】
ユーザは、メインＬＣＤ１２に表示されている被写体画像を確認し、保存するかどうかを決めるＳ８０８。
【００３４】
ユーザは、メインＬＣＤ１２に表示されている被写体画像が気に入れば、操作部１５を操作し、ＣＰＵ８によって一時記憶部１１に記憶されている被写体画像データをメモリ１０の所定領域に格納しＳ８０９、Ｓ８０４に戻る。
【００３５】
Ｓ８０８の判断の結果、ユーザは、メインＬＣＤ１２に表示されている被写体画像が気に入らなければ、操作部１５を操作し、ＣＰＵ８によって一時記憶部１１に記憶されている被写体画像データをメモリ１０に格納せずに、Ｓ８０４に戻る。
【００３６】
この改良型の携帯電話機１では、鏡５ではなくサブＬＣＤ２０を使用しているため、メインＬＣＤ１２に表示されている画像をそのままサブＬＣＤ２０へ表示でき、撮影時、ユーザが確認していたサブＬＣＤ２０の表示画像を過不足無く画像データとして保存することができる。
【００３７】
また、この改良型の携帯電話機１では、フラッシュ４を使用せずに白色ＬＥＤ等の照明装置１９を使用しているため、点灯時に瞬間的に大量の電流が流れてしまうことを防ぐことができる。
【００３８】
【発明が解決しようとする課題】
以上のように従来の改良型携帯電話機１では、従来の携帯電話機１での問題点は改善されているものの、照明装置１９点灯中に、該照明装置１９の照明が逆光としてユーザに投光されるので、照明装置１９の近傍に配置されたサブＬＣＤ２０の映像が見難くなるという問題点があった。
【００３９】
この発明は、上記のような課題を解消するためになされたもので、サブＬＣＤ２０の表示する被写体画像が見易い携帯端末を提供することを目的とするものである。
【００４０】
【課題を解決するための手段】
この発明の請求項１に係る携帯端末は、被写体を照明する照明装置とともに使用される携帯端末であって、上記被写体を撮像するカメラ、このカメラの撮影方向に表示画面が向けられ、上記カメラの撮像する被写体画像を表示する表示部、上記照明装置が点灯している間、上記表示部の輝度を上げるように制御する制御部で構成するようにしたものである。
【００４１】
また、この発明の請求項２に係る携帯端末は、請求項１における携帯端末であって、表示部は、表示画面を照光する表示照光部を含むように構成したものである。
【００４２】
さらに、また、この発明の請求項３に係る携帯端末は、請求項２における携帯端末であって、制御部は、照明装置の輝度に基づいて表示照光部の輝度を変更するようにしたものである。
【００４３】
また、この発明の請求項４に係る携帯端末は、請求項３における携帯端末であって、照明装置の輝度は、手動または自動的に変更されるようにしたものである。
【００４４】
【発明の実施の形態】
実施の形態１．
以下、実施の形態１について説明する。ここで、実施の形態１及び後述する実施の形態２における携帯電話機１の外観構成及びブロック構成は、図６及び図７の従来のものと構成上同一であるため、便宜上、図６及び図７を用いて説明する。
なお、図７は、プログラム９が照明装置１９の輝度制御プログラムを搭載している点で従来と異なる。
また、実施の形態１及び実施の形態２で記載する照明装置１９、バックライト１３及びサブバックライト２１に流す電流値は一例であって、使用する白色ＬＥＤの種類、または回路及びバックライトユニットの性能によって異なる。
【００４５】
図６、図７、及び図１に基づいて、携帯電話機１に搭載されたカメラ３による被写体画像の撮像動作について説明する。
なお、図１は、照明装置１９を使用して自画像を撮像する動作を示したフローチャートである。
【００４６】
まず、ユーザが操作部１５を操作してカメラ３による撮影モードを選択すると、ＣＰＵ８は、照明装置１９を起動するか否かを判断するＳ１０１。
【００４７】
この判断の結果、事前に照明装置１９の起動が設定されていなければ、ＣＰＵ８は照明装置１９を点灯させずに、電流制御部１４にサブバックライト２１を点灯するよう指示する。指示を受けた電流制御部１４がサブバックライト２１に５ｍＡ程度の電流を流すと、サブバックライト２１が低輝度で点灯しＳ１０４、Ｓ１０５に進む。
【００４８】
Ｓ１０１の判断の結果、事前に照明装置１９の起動が設定されていれば、ＣＰＵ８は、電流制御部１４に照明装置１９を点灯するよう指示する。指示を受けた電流制御部１４が照明装置１９に１８ｍＡ程度の電流を流すと、照明装置１９が点灯するＳ１０２。
次いで、ＣＰＵ８は、電流制御部１４にサブバックライト２１を点灯するよう指示する。指示を受けた電流制御部１４がサブバックライト２１に２０ｍＡ程度の電流を流すと、サブバックライト２１が点灯するＳ１０３。
これにより、照明装置１９点灯時は、サブバックライト２１を高輝度で点灯させるので、サブＬＣＤ２０が逆光で見難くなることを防ぐことができる。
【００４９】
次に、ＣＰＵ８は、カメラ３を作動させるとともに、メインＬＣＤ１２及びサブＬＣＤ２０を作動させ、カメラ３が撮像している画像をメインＬＣＤ１２及びサブＬＣＤ２０画面上に表示させるＳ１０５。
【００５０】
ユーザは、カメラ３による撮影を終了するか否かを判断するＳ１０６。
【００５１】
カメラ３による撮影を終了すると判断されたとき、ＣＰＵ８は、電流制御部１４に照明装置１９を消灯するよう指示する。指示を受けた電流制御部１４が照明装置１９に電流を流すのを停止すると、照明装置１９が消灯するＳ１１１。
次いで、ＣＰＵ８は、電流制御部１４にサブバックライト２１を消灯するよう指示する。指示を受けた電流制御部１４がサブバックライト２１に電流を流すのを停止すると、サブバックライト２１が消灯するＳ１１２。
ＣＰＵ８は、カメラ３を停止させて、通常の待ち受け画面をメインＬＣＤ１２画面上に表示させて、処理を終了する。
【００５２】
Ｓ１０６の判断により、カメラ３による撮影を終了しないと判断されたとき、ユーザは携帯電話機１背面側のカメラ３を自分に向け、自画像を被写体として撮像する。つまり、ユーザは、サブＬＣＤ２０を見ながら撮影位置を決めて、操作部１５の撮影ボタンを押下するＳ１０７。
【００５３】
撮影ボタンの押下により、ＣＰＵ８はその時点でカメラ３が撮像していた自画像の被写体画像をメインＬＣＤ１２に静止画像で表示させＳ１０８、かつユーザに撮影がされたことを報知するためにスピーカ１８によりシャッター音を鳴動させる。
同時に、ＣＰＵ８は、カメラ３の撮像した被写体画像データを一時記憶部１１に記憶させる。
【００５４】
ユーザは、メインＬＣＤ１２に表示されている被写体画像を確認し、保存するかどうかを決めるＳ１０９。
【００５５】
ユーザは、メインＬＣＤ１２に表示されている被写体画像が気に入れば、操作部１５を操作し、ＣＰＵ８によって一時記憶部１１に記憶されている被写体画像データをメモリ１０の所定領域に格納しＳ１１０、Ｓ１０５に戻る。
【００５６】
Ｓ１０９の判断の結果、ユーザは、メインＬＣＤ１２に表示されている被写体画像が気に入らなければ、操作部１５を操作し、ＣＰＵ８によって一時記憶部１１に記憶されている被写体画像データをメモリ１０の所定領域に格納せずに、Ｓ１０５に戻る。
【００５７】
実施の形態２．
図６、図７、及び図２に基づいて、携帯電話機１に搭載されたカメラ３による被写体画像の撮像動作について説明する。
なお、図２は、照明装置１９を使用して自画像を撮像する動作を示したフローチャートである。
【００５８】
まず、ユーザが操作部１５を操作してカメラ３による撮影モードを選択すると、ＣＰＵ８は、照明装置１９を起動するか否かを判断するＳ２０１。
【００５９】
この判断の結果、事前に照明装置１９の起動が設定されていなければ、ＣＰＵ８は照明装置１９を点灯させない。
【００６０】
ＣＰＵ８は、電流制御部１４にサブバックライト２１を低輝度で点灯するよう指示する。指示を受けた電流制御部１４がサブバックライト２１に５ｍＡ程度の電流を流すと、サブバックライト２１が低輝度で点灯しＳ２０８、Ｓ２０９に進む。
【００６１】
Ｓ２０１の判断の結果、事前に照明装置１９の起動が設定されていれば、ＣＰＵ８は、予めユーザが設定した照明装置１９の輝度値を判定するＳ２０２。
【００６２】
この判定で、照明装置１９の設定輝度値が小であれば、ＣＰＵ８は、電流制御部１４に照明装置１９を低輝度で点灯するよう指示する。指示を受けた電流制御部１４が照明装置１９に３ｍＡ程度の電流を流すと、照明装置１９が低輝度で点灯しＳ２０７、Ｓ２０８に進む。
【００６３】
Ｓ２０２の判定で、照明装置１９の設定輝度値が中であれば、ＣＰＵ８は、電流制御部１４に照明装置１９を中輝度で点灯するよう指示する。指示を受けた電流制御部１４が照明装置１９に８ｍＡ程度の電流を流すと、照明装置１９が中輝度で点灯するＳ２０５。
次いで、ＣＰＵ８は、電流制御部１４にサブバックライト２１を中輝度で点灯するよう指示する。指示を受けた電流制御部１４がサブバックライト２１に１０ｍＡ程度の電流を流すと、サブバックライト２１が中輝度で点灯しＳ２０６、Ｓ２０９に進む。
【００６４】
また、Ｓ２０２の判定で、照明装置１９の設定輝度値が大であれば、ＣＰＵ８は、電流制御部１４に照明装置１９を高輝度で点灯するよう指示する。指示を受けた電流制御部１４が照明装置１９に１８ｍＡ程度の電流を流すと、照明装置１９が高輝度で点灯するＳ２０３。
次いで、ＣＰＵ８は、電流制御部１４にサブバックライト２１を高輝度で点灯するよう指示する。指示を受けた電流制御部１４がサブバックライト２１に２０ｍＡ程度の電流を流すと、サブバックライト２１が高輝度で点灯するＳ２０４。
【００６５】
これらにより、照明装置１９点灯時の輝度値に応じてサブバックライト２１の輝度値を変更して点灯させるので、サブＬＣＤ２０の画像が常に見やすい状態で、サブバックライト２１がサブＬＣＤ２０を照光することができる。
【００６６】
次に、上記実施の形態１と同様にＳ２０９、Ｓ２１０、Ｓ２１１、Ｓ２１２、Ｓ２１３、Ｓ２１４の処理フローで撮影がなされ、Ｓ２０９、Ｓ２１０、Ｓ２１５、Ｓ２１６の処理フローで撮影が終了する。
【００６７】
なお、上記実施の形態２では、照明装置１９の輝度値をユーザが事前に設定するものとしているが、照明装置１９点灯中にユーザが照明装置１９の輝度値を変更し、その変更に伴ってＣＰＵ８がサブバックライト２１の輝度値も変更して再点灯するようにしてもよい。
【００６８】
また、上記実施の形態２では、照明装置１９の輝度値をユーザが変更するようにしたが、携帯電話機１に周辺の明るさを検知する検知部を設けて、その検知結果に基づいて照明装置１９の輝度値を変更するようにしてもよい。これにより、周辺が暗いときは、照明装置１９の輝度値を上げて照明装置１９の明るさを上げるようにすることができる。この場合も、照明装置１９の輝度値の変更に伴ってサブバックライト２１の輝度値を変更するようにすればよい。
また、照明装置１９点灯中に定期的に周辺の明るさを検知して、照明装置１９の輝度値を更新し、これに応じてサブバックライト２１の輝度値を変更するようにすれば、ユーザは、照明装置１９点灯中に明るい場所から暗い場所に移動した場合でも常にサブＬＣＤ２０画面上の表示が見易くなる。
【００６９】
上記実施の形態１及び２では、サブＬＣＤ２０の表示照光部としてサブバックライト２１を搭載した場合について説明したが、表示部の表示画面を照光するものであれば、別の発光手段であっても同様の効果を奏する。
【００７０】
また、上記実施の形態１及び２では、照明装置１９は携帯電話機１に内蔵しているが、従来のフラッシュ４のように、携帯電話機１に接続可能で、携帯電話機１から点灯及び消灯の指示を受けることができ、輝度値変更の指示を受けることができる照明装置１９であってもよい。
【００７１】
【発明の効果】
この発明の請求項１及び２に係る携帯端末は、被写体を照明する照明装置とともに使用される携帯端末であって、照明装置が点灯している間、被写体画像を表示する表示部の輝度を上げるようにしたので、照明装置の照明が逆光となってユーザに投光されても、表示部の表示画面が見難くなることを防ぐことができる効果がある。
【００７２】
また、この発明の請求項３に係る携帯端末は、制御部は、照明装置の輝度に基づいて表示照光部の輝度を変更するようにしたので、表示部の画像が、照明装置の明るさによらず常に見易くなるようにすることができる効果がある。
【００７３】
さらに、また、この発明の請求項４に係る携帯端末は、照明装置の輝度は、手動または自動的に変更されるようにしたので、ユーザが自由に照明装置の明るさを変更することができる。また、周辺の明るさ等の条件によって照明装置の明るさを自動的に変更することができる効果がある。
【図面の簡単な説明】
【図１】  この発明の実施の形態１に係る照明装置１９を使用して自画像を撮像する動作を示したフローチャートである。
【図２】  この発明の実施の形態２に係る照明装置１９を使用して自画像を撮像する動作を示したフローチャートである。
【図３】  従来の携帯電話機１背面の外観を示した概略図である。
【図４】  従来の携帯電話機１の構成を示したブロック図である。
【図５】  従来のフラッシュ４を使用して自画像を撮像する動作を示したフローチャートである。
【図６】  従来改良型及びこの発明の携帯電話機１背面の外観を示した概略図である。
【図７】  従来改良型及びこの発明の携帯電話機１の構成を示したブロック図である。
【図８】  従来改良型の照明装置１９を使用して自画像を撮像する動作を示したフローチャートである。
【符号の説明】
１  携帯電話機
３  カメラ
８  ＣＰＵ
１５  操作部
１９  照明装置
２０  サブＬＣＤ
２１  サブバックライト
【図１】
0003966037.tif 000002
【図２】
0003966037.tif 000003
【図３】
0003966037.tif 000004
【図４】
0003966037.tif 000005
【図５】
0003966037.tif 000006
【図６】
0003966037.tif 000007
【図７】
0003966037.tif 000008
【図８】
0003966037.tif 000009